(57)【要約】【課題】意図したスイッチをタッチ操作できる、スイッチ装置を提供する。【解決手段】操作部５への検出対象物の近接を検出する近接検出部１０と、操作部５への操作状態に応じて、異なる表示情報を表示する表示切替部２０と、近接検出部１０の検出結果に対応して表示切替部２０が表示する情報を切替える制御部３０と、を有し、制御部３０は、近接検出部１０により検出対象物の近接を検出しない場合は第１の表示情報を、近接検出部１０により検出対象物の近接を検出した場合は第１の表示情報とは異なる第２の表示情報を表示切替部２０に表示させる、スイッチ装置とする。【選択図】図１
2020030509.tif 000002
【特許請求の範囲】
【請求項１】
操作部への検出対象物の近接を検出する近接検出部と、
前記操作部への操作状態に応じて、異なる表示情報を表示する表示切替部と、
前記近接検出部の検出結果に対応して前記表示切替部が表示する情報を切替える制御部と、を有し、
前記制御部は、前記近接検出部により検出対象物の近接を検出しない場合は第１の表示情報を、前記近接検出部により検出対象物の近接を検出した場合は第１の表示情報とは異なる第２の表示情報を前記表示切替部に表示させる、スイッチ装置。
【請求項２】
前記第２の表示情報は、強調表示である、請求項１に記載のスイッチ装置。
【請求項３】
前記操作部と前記表示切替部は、操作者から見て少なくとも一部が重なる位置に設けられている、請求項１又は２に記載のスイッチ装置。
【請求項４】
前記近接検出部は、互いに隣接して複数設けられている、請求項１から３のいずれか１項に記載のスイッチ装置。
【請求項５】
前記表示切替部は、表示する情報が切り替わるように、光源からの光のうち、透過する光の特性を選択可能な光選択層を有する、請求項１から４のいずれか１項に記載のスイッチ装置。
【発明の詳細な説明】
【技術分野】
【０００１】
本発明は、スイッチ装置に関する。
【背景技術】
【０００２】
従来の技術として、操作者の指の近接を検知するタッチパネル装置が知られている（例えば、特許文献１参照）。
【０００３】
このタッチパネル装置に記載されたスイッチは、表示部の入力可能領域にユーザーの指が接触したことが検出されると、この入力可能領域に対応する入力を行うものである。
【先行技術文献】
【特許文献】
【０００４】
【特許文献１】特開２００９−１８１２３２号公報
【発明の概要】
【発明が解決しようとする課題】
【０００５】
先行技術に開示されたスイッチ装置には、一般的にはタッチ範囲が明示されておらず、スイッチ装置の操作部が複数隣接して並ぶ場合、意図したスイッチでないスイッチが入力操作されてしまう場合がある、という問題があった。
【０００６】
したがって、本発明の目的は、意図したスイッチをタッチ操作できる、スイッチ装置を提供することにある。
【課題を解決するための手段】
【０００７】
［１］上記目的を達成するため、操作部への検出対象物の近接を検出する近接検出部と、前記操作部への操作状態に応じて、異なる表示情報を表示する表示切替部と、前記近接検出部の検出結果に対応して前記表示切替部が表示する情報を切替える制御部と、を有し、前記制御部は、前記近接検出部により検出対象物の近接を検出しない場合は第１の表示情報を、前記近接検出部により検出対象物の近接を検出した場合は第１の表示情報とは異なる第２の表示情報を前記表示切替部に表示させる、スイッチ装置を提供する。
【０００８】
［２］前記第２の表示情報は、強調表示である、上記［１］に記載のスイッチ装置であってもよい。
【０００９】
［３］また、前記操作部と前記表示切替部は、操作者から見て少なくとも一部が重なる位置に設けられている、上記［１］又は［２］に記載のスイッチ装置であってもよい。
【００１０】
［４］また、前記近接検出部は、互いに隣接して複数設けられている、上記［１］から［３］のいずれか１に記載のスイッチ装置であってもよい。
【００１１】
［５］また、前記表示切替部は、表示する情報が切り替わるように、光源からの光のうち、透過する光の特性を選択可能な光選択層を有する、上記［１］から［４］のいずれか１に記載のスイッチ装置であってもよい。
【発明の効果】
【００１２】
本発明の静電検出装置によれば、意図したスイッチをタッチ操作できる。
【図面の簡単な説明】
【００１３】
【図１】図１（ａ）は、本発明のスイッチ装置の表示切替部を操作者から見た平面図であり、図１（ｂ）は、本発明のスイッチ装置の断面、構成を示す図である。
【図２】図２（ａ）は、第１の表示情報の例を示す表示切替部を操作者から見た平面図であり、図２（ｂ）は、第２の表示情報の例を示す表示切替部を操作者から見た平面図である。
【図３】図３（ａ）は、本発明のスイッチ装置の表示切替部における第１の偏光表示板の例であり、図３（ｂ）は、本発明のスイッチ装置の表示切替部における第２の偏光表示板の例である。
【図４】図４（ａ）は、本発明のスイッチ装置の表示切替部において第１の光源を発光させて第１の表示情報を表示させる場合を示す図１（ｂ）の部分断面図であり、図４（ｂ）は、本発明のスイッチ装置の表示切替部において第２の光源を発光させて第２の表示情報を表示させる場合を示す図１（ｂ）の部分断面図である。
【図５】図５は、本発明のスイッチ装置の動作を示すフローチャート図である。
【図６】図６は、図６（ａ）、（ｂ）、（ｃ）、（ｄ）にしたがって、操作者の指が操作部に近接しながら移動する場合における表示切替部の表示の変化を図１（ａ）の平面図で示すものである。
【図７】図７は、第２の実施の形態の表示切替部における部分断面図である。
【図８】図８（ａ）は、第１透過部としての青色フィルターの構成を示す断面図であり、図８（ｂ）は、第２透過部としての赤色フィルターの構成を示す断面図であり、図８（ｃ）は、別の実施例を示す青色フィルターの断面図であり、図８（ｄ）は、別の実施例を示す赤色フィルターの断面図である。
【図９】図９は、表示部の構造を示す断面図である。
【図１０】図１０は、第２の実施の形態において、第１の情報を提示する場合の動作を示す断面図であり、図１０（ｂ）は、第１の情報の一例を示す図である。
【図１１】図１１は、第２の実施の形態において、第２の情報を提示する場合の動作を示す断面図であり、図１１（ｂ）は、第２の情報の一例を示す図である。
【図１２】図１２（ａ）は、第２の実施の形態における第１提示部の例であり、図１２（ｂ）は、第２提示部の例である。
【図１３】図１３は、近接検出時のハイライト表示の例である。
【００１４】
（本発明の第１の実施の形態）
（スイッチ装置１の構成）
本発明の実施の形態に係るスイッチ装置１は、操作部５への検出対象物の近接を検出する近接検出部１０と、操作部５への操作状態に応じて、異なる表示情報を表示する表示切替部２０と、近接検出部１０の検出結果に対応して表示切替部２０が表示する情報を切替える制御部３０と、を有し、制御部３０は、近接検出部１０により検出対象物の近接を検出しない場合は第１の表示情報を、近接検出部１０により検出対象物の近接を検出した場合は第１の表示情報とは異なる第２の表示情報を表示切替部２０に表示させる、構成とされている。
【００１５】
本実施の形態において、図１（ａ）に示すように、表示切替部２０は、操作者から見て４つ並べて配置されているものとして説明する。例えば、表示切替部２０は、２０ａ、２０ｂ、２０ｃ、２０ｄが横に並んで配置されている。
【００１６】
（操作部５）
操作部５は、図１（ａ）、（ｂ）に示すように、操作者が指で近接、タッチ操作するものである。この操作部５は、例えば、光透過性のアクリル板等で形成されている。操作部５の表面５ａは、操作者が指で近接、タッチ操作するところであって、かつ、後述する表示切替部２０（２０ａ、２０ｂ、２０ｃ、２０ｄ）による第１の表示情報、第２の表示情報等を表示するところである。
【００１７】
また、操作部５の裏面５ｂには、表示切替部２０（２０ａ、２０ｂ、２０ｃ、２０ｄ）に対応した位置に、操作者の指等の近接、タッチを検出するための近接検出部１０（１０ａ、１０ｂ、１０ｃ、１０ｄ）が設けられている。これにより、操作者は、各表示切替部（２０ａ、２０ｂ、２０ｃ、２０ｄ）の表示を見ながら、操作部５の表面５ａにタッチすることにより、所望のタッチ位置をタッチ操作することができる。操作部５には、表示切替部２０（２０ａ、２０ｂ、２０ｃ、２０ｄ）に対応した位置に、それぞれの第１、第２の表示情報が表示され、この第１、第２の表示情報が表示される操作部と表示切替部は、操作者から見て少なくとも一部が重なる位置に設けられている。
【００１８】
（近接検出部１０）
近接検出部１０は、操作部５への検出対象物である操作者の指等の近接を検出するものである。近接検出部１０は、互いに隣接して複数設けられている。図１（ａ）、（ｂ）に示すように、近接検出部１０は、例えば、操作部５の裏面５ｂに、タッチ電極として、表示切替部２０（２０ａ、２０ｂ、２０ｃ、２０ｄ）にそれぞれ対応した位置に、１０ａ，１０ｂ、１０ｃ、１０ｄとして設けられている。
【００１９】
近接検出部１０（１０ａ、１０ｂ、１０ｃ、１０ｄ）は、表示切替部２０（２０ａ、２０ｂ、２０ｃ、２０ｄ）による表示を操作部５に表示するために、ＩＴＯ(Indium Tin Oxide)等の透明電極を使用する。
【００２０】
近接検出部１０（１０ａ、１０ｂ、１０ｃ、１０ｄ）は、図１（ｂ）に示すように、それぞれの検出部（電極）が、制御部３０に接続されている。各近接検出部１０（１０ａ、１０ｂ、１０ｃ、１０ｄ）には、制御部３０から電圧が印加されることにより、電荷がチャージされ、各接検出部（１０ａ、１０ｂ、１０ｃ、１０ｄ）の電圧を検出することにより、静電容量値を検出することができる。このような自己容量方式の静電容量検出により、指等の検出対象物が近接または接触（タッチ）すると静電容量値が変化することから、操作部５へ近接、または、接触（タッチ）したかどうかを判定することができ、近接検出が可能となる。
【００２１】
なお、近接検出部１０（１０ａ、１０ｂ、１０ｃ、１０ｄ）による近接、または、タッチオンの判定は、予め設定した近接閾値、タッチ閾値と、各近接検出部１０（１０ａ、１０ｂ、１０ｃ、１０ｄ）の検出値との比較により行なうことができる。また、各近接検出部１０（１０ａ、１０ｂ、１０ｃ、１０ｄ）の検出値、近接閾値、タッチ閾値は、電圧で設定してもよく、また、静電容量値で設定してもよい。
【００２２】
（表示切替部２０）
表示切替部２０は、表示する情報が切り替わるように、光源からの光のうち、透過する光の特性を選択可能な光選択層を有して構成されている。表示切替部２０は、近接検出部１０により検出対象物の近接を検出しない場合は第１の表示情報を、近接検出部１０により検出対象物の近接を検出した場合は第１の表示情報とは異なる第２の表示情報を表示する。
【００２３】
第１の表示情報５０ｃは、検出対象物の近接を検出しない場合の表示情報であって、例えば、図２（ａ）に示すような、スイッチ内容を示すようなシンボル、マーク、文字、数字等である。
【００２４】
第２の表示情報６０ｃは、近接検出部により検出対象物の近接を検出した場合に表示されるものであって、第１の表示情報５０ｃとは異なる表示情報である。例えば、図２（ｂ）に示すような、第１の表示情報５０ｃのシンボルを強調表示するものである。図２（ｂ）の例では、第１の表示情報５０ｃのシンボルの周囲を囲む枠が照明表示される、ハイライト表示である。
【００２５】
表示切替部２０は、光源からの光のうち、透過する光の特性を選択可能な光選択層を有して構成するもので、例えば、透過する光の特性を利用するものとして、偏光状態により表示切替を行なう方式、透過する光の波長、すなわち、赤、青等の色により表示切替を行なう方式等を使用することが可能である。第１の実施の形態では、偏光状態により表示切替を行なう方式により、光選択層として後述する第１表示偏光板、第２表示偏光板を用いた方式として、以下説明する。
【００２６】
表示切替部２０は、図１（ａ）、（ｂ）に示すように、２０ａ、２０ｂ、２０ｃ、２０ｄが横に並んで配置されている。各表示切替部の構成は同じであるが、各表示切替部（２０ａ、２０ｂ、２０ｃ、２０ｄ）により、各近接検出部１０（１０ａ、１０ｂ、１０ｃ、１０ｄ）に表示される第１の表示情報、第２の表示情報の内容が、図１（ａ）に示すように、異なる。表示情報の内容は、後述する第１表示偏光板と第２表示偏光板上の偏光部、透過部の形成パターンにより決められている。
【００２７】
（表示切替部２０ｄの構成）
各表示切替部の構成は同じであるので、以下、図１（ａ）、（ｂ）に示す、近接検出部１０ｃ、表示切替部２０ｃの構成部分を用いて説明する。なお、各表示切替部（２０ａ、２０ｂ、２０ｃ、２０ｄ）の間は、遮蔽壁で遮光されている。
【００２８】
図１（ｂ）に示すように、表示切替部２０ｃは、第１発光部２１ｃ、第２発光部２２ｃ、第１表示偏光板２５ｃ、第２表示偏光板２６ｃを有して構成されている。第１発光部２１ｃは、第１偏光方向の光を出射するための偏光板２３ｃを出射部に備え、第２発光部２２ｃは、第２偏光方向の光を出射するための偏光板２４ｃを出射部に備えている。この第１偏光方向１０１と第２偏光方向１０２は、直交する方向である。
【００２９】
第１偏光方向１０１、第２偏光方向１０２を、図３（ａ）、（ｂ）に示す。図３（ａ）において、第１表示偏光板２５ｃ上に第１偏光方向１０１を示すと共に、これに平行な吸収軸２０１の方向をストライプで図示している。同様に、図３（ｂ）において、第２表示偏光板２６ｃ上に第２偏光方向１０２を示すと共に、これに平行な吸収軸２０２の方向をストライプで図示している。第１偏光方向１０１と第２偏光方向１０２は直交するように配置される。
【００３０】
（第１発光部２１ｃ）
第１の光源としての第１発光部２１ｃは、例えば、ＬＥＤ光が使用できる。本実施の形態では、第１発光部２１ｃとしてＬＥＤ光源を使用し、出射部に偏光板２３ｃを配置している。また、第１発光部２１ｃは、制御部３０に接続され、発光のオンオフが制御される。これにより、第１発光部２１ｃが発光すると、第１偏光方向１０１の光が出射される。
【００３１】
（第２発光部２２ｃ）
第２の光源としての第２発光部２２ｃも、例えば、ＬＥＤ光が使用できる。本実施の形態では、第２発光部２２ｃとしてＬＥＤ光源を使用し、出射部に偏光板２４ｃを配置している。また、第２発光部２２ｃは、制御部３０に接続され、発光のオンオフが制御される。これにより、第２発光部２２ｃが発光すると、第２偏光方向１０２の光が出射される。
【００３２】
光選択層としての第１表示偏光板２５ｃは、図１（ｂ）に示すように、光選択層としての第２表示偏光板２６ｃと重ねて配置されている。第１表示偏光板２５ｃは、図３（ａ）に示すように、第１偏光方向１０１を吸収軸２０１とする偏光板に第１の表示情報５０ｃが形成されて構成されている。
【００３３】
（第１表示偏光板２５ｃ）
光選択層としての第１表示偏光板２５ｃは、例えば、偏光機能を有する偏光層の上下をそれぞれ保護する保護フイルムで挟んだ偏光板である。偏光層は、例えば、ＰＶＡ（ポリビニルアルコール）層を形成し、ヨウ素色素を吸着させてホウ酸架橋を行なう。乾燥、安定後に、ＰＶＡ層を延伸してヨウ素色素を配向させて偏光性を発現させる。このヨウ素色素は、第１の偏光方向１０１と平行な吸収軸２０１の方向に延伸されている。この吸収軸２０１に平行な偏光成分を持つ光は反射又は吸収されてＰＶＡ層を透過しない。一方、吸収軸２０１に垂直な偏光成分を持つ光は透過する。
【００３４】
第１表示偏光板２５ｃは、図３（ａ）に示すように、偏光層において、第１の表示情報５０ｃの領域がヨウ素色素をレーザ照射等により昇華させて消失させている。これにより、第１の表示情報５０ｃの領域は、偏光機能を有さず、偏光状態によらずに光を透過させることができる。
【００３５】
（第２表示偏光板２６ｃ）
光選択層としての第２表示偏光板２６ｃは、例えば、偏光機能を有する偏光層の上下をそれぞれ保護する保護フイルムで挟んだ偏光板である。偏光層は、例えば、ＰＶＡ（ポリビニルアルコール）層を形成し、ヨウ素色素を吸着させてホウ酸架橋を行なう。乾燥、安定後に、ＰＶＡ層を延伸してヨウ素色素を配向させて偏光性を発現させる。このヨウ素色素は、第２の偏光方向１０２と平行な吸収軸２０２の方向に延伸されている。この吸収軸２０２に平行な偏光成分を持つ光は反射又は吸収されてＰＶＡ層を透過しない。一方、吸収軸２０２に垂直な偏光成分を持つ光は透過する。
【００３６】
第２表示偏光板２６ｃは、図３（ｂ）に示すように、偏光層において、第２の表示情報６０ｃの領域がヨウ素色素をレーザ照射等により昇華させて消失させている。これにより、第２の表示情報６０ｃの領域は、偏光機能を有さず、偏光状態によらずに光を透過させることができる。なお、第１表示偏光板、第２表示偏光板ではヨウ素系ＰＶＡについて記載したが、染料系ＰＶＡを使用してもよい。
【００３７】
（光選択層の別の実施の形態）
光選択層として偏光板を用いる別の実施の形態として、ワイヤグリッド偏光板を使用することも可能である。ワイヤグリッド偏光板は、金属層（例えば、Ｃｒ、Ａｌ）が形成された基板において、金属層がその厚さ方向に偏光微細加工された複数の領域を有して表示領域が構成されている。この複数の領域は、吸収軸の方向が異なることで偏光方向が異なる領域とされている。
【００３８】
金属層は、山部と谷部が交互に並んでブレード部が所定の間隔で配列されるように、金属層の一部が偏光微細加工により除去されて形成されている。このブレード部が延伸する方向は吸収軸（２０１、２０２）である。すなわち、吸収軸と平行な偏光成分の光は吸収され、吸収軸と直交する偏光成分の光は透過する。したがって、この偏光微細加工された領域は、偏光機能を有する。
【００３９】
一方、第１の表示情報の領域、第２の表示情報の領域は、上記のようなブレード部を形成しない透過領域として形成される。これらにより、ヨウ素色素を配向させて偏光性を発現させたＰＶＡ偏光板の代わりに、光選択層としてワイヤグリッド偏光板を使用することも可能となる。
【００４０】
（制御部３０）
制御部３０は、近接検出部１０（１０ａ、１０ｂ、１０ｃ、１０ｄ）の検出結果に対応して表示切替部２０（２０ａ、２０ｂ、２０ｃ、２０ｄ）が表示する情報を切替える制御を行なうものである。
【００４１】
制御部３０は、近接検出部１０（１０ａ、１０ｂ、１０ｃ、１０ｄ）による静電容量値の検出、表示切替部２０（２０ａ、２０ｂ、２０ｃ、２０ｄ）の選択、及び、第１と第２の表示情報の切替え制御等を制御するために、記憶されたプログラムに従って、取得したデータに演算、加工などを行うＣＰＵ（Central Processing Unit）、半導体メモリであるＲＡＭ（Random Access Memory）及び記憶部３５としてのＲＯＭ（Read Only Memory）などから構成されるマイクロコンピュータを備えている。記憶部３５には、上記のプログラムの他に、近接検出部１０（１０ａ、１０ｂ、１０ｃ、１０ｄ）への近接又はタッチの判定に使用する、近接判定閾値、タッチ判定閾値等が記憶されている。
【００４２】
（第１の表示情報５０ｃの表示）
制御部３０は、第１の表示情報５０ｃを表示するために、図４（ａ）に示すように、表示切替部２０ｃの第１発光部２１ｃを発光させる。発光した光は、偏光板２３ｃから第１偏光方向１０１の光Ｌ１として出射する。
【００４３】
第１偏光方向１０１の光Ｌ１は、まず、図３（ｂ）に示す第２表示偏光板２６ｃをすべて透過する。次に、光Ｌ１は、図３（ａ）に示す第１表示偏光板２５ｃの第１の表示情報５０ｃの領域を透過する。一方、第１表示偏光板２５ｃの吸収軸２０１が残っている領域は光Ｌ１が吸収されて透過しない。
【００４４】
これにより、光Ｌ１は、透明電極である近接検出部１０ｃを透過して、操作部５（表面５ａ）に表示される。操作者は、操作部５を通して、表示切替部２０ｃにより表示される第１の表示情報５０ｃを見ることができる。
【００４５】
（第２の表示情報６０ｃの表示）
制御部３０は、第２の表示情報６０ｃを表示するために、図４（ｂ）に示すように、表示切替部２０ｃの第２発光部２２ｃを発光させる。発光した光は、偏光板２４ｃから第２偏光方向１０２の光Ｌ２として出射する。
【００４６】
第２偏光方向１０２の光Ｌ２は、まず、図３（ｂ）に示す第２表示偏光板２６ｃの第２の表示情報６０ｃの領域を透過する。一方、第２表示偏光板２６ｃの吸収軸２０２が残っている領域は光Ｌ２が吸収されて透過しない。次に、第２表示偏光板２６ｃを透過した光Ｌ２は、図３（ａ）に示す第１表示偏光板２５ｃをすべて透過する。
【００４７】
これにより、光Ｌ２は、透明電極である近接検出部１０ｃを透過して、操作部５（表面５ａ）に表示される。操作者は、操作部５を通して、表示切替部２０ｃにより表示される第２の表示情報６０ｃを見ることができる。
【００４８】
本実施の形態では、スイッチ装置１の動作時には、表示切替部２０（２０ａ、２０ｂ、２０ｃ、２０ｄ）によりそれぞれの第１の表示情報５０（５０ａ、５０ｂ、５０ｃ、５０ｄ）を、図２（ａ）に示すように、表示する。また、近接検出部１０（１０ａ、１０ｂ、１０ｃ、１０ｄ）により指等の近接を検出した場合には、その近接した近接検出部に対応する第２の表示情報６０（６０ａ、６０ｂ、６０ｃ、６０ｄ）を、図２（ｂ）に示すように、第１の表示情報５０（５０ａ、５０ｂ、５０ｃ、５０ｄ）に重畳して表示する。この第２の表示情報６０（６０ａ、６０ｂ、６０ｃ、６０ｄ）は、第１の表示情報を強調して表示するものである。
【００４９】
（近接検出時のハイライト表示動作）
図５は、本発明のスイッチ装置の動作を示すフローチャート図である。また、図６は、図６（ａ）、（ｂ）、（ｃ）、（ｄ）にしたがって、操作者の指が操作部に近接しながら移動する場合における表示切替部の表示の変化を図１（ａ）の平面図で示すものである。これに基づいて、近接検出時のハイライト表示動作を説明する。なお、制御部３０は、各表示切替部（２０ａ、２０ｂ、２０ｃ、２０ｄ）のそれぞれの第１の表示情報（５０ａ、５０ｂ、５０ｃ、５０ｄ）を表示した状態で動作するものとする。
【００５０】
（Ｓｔｅｐ１）
制御部３０は、指３００が操作部５に近接しているかどうかを検出する。制御部３０は、近接検出部１０（１０ａ、１０ｂ、１０ｃ、１０ｄ）により、それぞれの静電容量値を検出する。
【００５１】
（Ｓｔｅｐ２）
制御部３０は、Ｓｔｅｐ１で検出した静電容量値と、予め設定した近接閾値とを比較する。本実施の形態では、指が所定距離以内に近接すると近接閾値以下になるものとする。静電容量値が近接閾値以下の場合は、Ｓｔｅｐ３へ進み（Ｓｔｅｐ２：Ｙｅｓ）、近接閾値以下でない場合は、Ｓｔｅｐ２へ戻る（Ｓｔｅｐ２：Ｎｏ）。
【００５２】
（Ｓｔｅｐ３）
制御部３０は、Ｓｔｅｐ２で近接を検出した近接検出部１０（１０ａ、１０ｂ、１０ｃ、１０ｄ）に対応する第２の表示情報６０（６０ａ、６０ｂ、６０ｃ、６０ｄ）を表示することにより、ハイライト表示を実行する。
【００５３】
例えば、図６（ｂ）に示すように、指３００が近接したところの第２の表示情報６０ｂをハイライト表示する。すなわち、近接検出部１０ｂに対応した位置において、第１の表示情報５０ｂに第２の表示情報６０ｂを重畳してハイライト表示する。これにより、操作者は、指３００が所望の位置まで近接したかどうかを容易に認識することができる。
【００５４】
図６（ｃ）に示すように、指３００がさらに移動して近接した状態で右に動くと、ハイライト表示も右に移動する。すなわち、第２の表示情報６０ｂが消え、第２の表示情報６０ｃが表示される。これにより、指３００が操作部５に近接した状態で移動すると、それに伴ってハイライト表示も移動するので、操作者の意図する操作が容易になり、タッチ操作の間違いが抑制される。
【００５５】
（Ｓｔｅｐ４）
制御部３０は、指３００が操作部５に接触したかどうかを判定する。静電容量値とタッチ判定閾値を比較することにより、接触したかどうかのタッチオン判定が可能となる。指３００が操作部５に接触した場合は、Ｓｔｅｐ４へ進み（Ｓｔｅｐ４：Ｙｅｓ）、接触しない場合は、Ｓｔｅｐ２へ戻る（Ｓｔｅｐ４：Ｎｏ）。
【００５６】
（Ｓｔｅｐ５）
制御部３０は、タッチオン判定する。このタッチオン判定により、タッチオン判定された位置に対応する動作、例えば、図６（ｄ）に示す位置でタッチオン判定された場合は、車両のエアコン装置の内気循環の機能が選択、決定される。
【００５７】
上記示したＳｔｅｐ１からＳｔｅｐ５は、停止命令が制御部３０に入力されるまで、繰り返して実行することができる。
【００５８】
（本発明の第２の実施の形態）
（表示切替部４００の構成）
以下において、第１の実施の形態と異なる構成の部分について説明する。表示切替部４００は、光源からの光のうち、透過する光の特性を選択可能な光選択層を有して構成するもので、第２の実施の形態では、例えば、透過する光の特性を利用するものとして、透過する光の波長、すなわち、赤、青等の色により表示切替を行なう方式等を使用する。
【００５９】
光選択層として、図７に示すように、第１提示部４３０ｃ、第２提示部４４０ｃを用いた方式として、以下説明する。
【００６０】
第２の実施の形態においても、第１の実施の形態と同様に、各表示切替部の構成は同じであるので、図１（ａ）、（ｂ）に示す、近接検出部１０ｃ、表示切替部２０ｃの構成部分に相当する図７により構成を説明する。
【００６１】
（第１光源部４１０ｃ）
図７に示すように、第１光源部４１０ｃは、例えば、第１の波長を含む波長域を有する光を発する高輝度ＬＥＤである第１発光ダイオード４１１ｃと、第１発光ダイオード４１１ｃからの光のうち、第１の波長の光ＬＢを透過する第１透過部４１２ｃとを有して構成されている。第１光源部４１０ｃは、例えば、白色の波長域を含む高輝度の発光ダイオードを用いることができる。第１発光ダイオード４１１ｃは、第１の波長の光ＬＢの波長域を含む。第１の波長の光ＬＢの波長域は、例えば、青色の波長域である。
【００６２】
第１透過部４１２ｃは、第１発光ダイオード４１１ｃから出射された第１の波長を含む波長域を有する光の中で、第１の波長の光ＬＢを透過させるフィルターとして機能する。第１透過部４１２ｃは、図８（ａ）に示すように、透明な基材４１２ｃａに青インク層４１２ｃｂが塗布等により形成されたものである。また、別の実施例として、第１透過部４１２ｃは、図８（ｃ）に示すように、青色の基材、又は青色フイルムであってもよい。
【００６３】
（第２光源部４２０ｃ）
第２光源部４２０ｃは、例えば、第２の波長を含む波長域を有する光を発する高輝度ＬＥＤである第２発光ダイオード４２１ｃと、第２発光ダイオード４２１ｃからの光のうち、第２の波長の光ＬＲを透過する第２透過部４２２ｃとを有して構成されている。第２光源部４２０ｃは、例えば、白色の波長域を含む高輝度の発光ダイオードを用いることができる。第２発光ダイオード４２１ｃは、第２の波長の光ＬＲの波長域を含む。第２の波長の光ＬＲの波長域は、例えば、赤色の波長域である。
【００６４】
第２透過部４２２ｃは、第２発光ダイオード４２１ｃから出射された第２の波長を含む波長域を有する光の中で、第２の波長の光ＬＲを透過させるフィルターとして機能する。第２透過部４２２ｃは、図８（ｂ）に示すように、透明な基材４２２ｃａに赤インク層４２２ｃｂが塗布等により形成されたものである。また、別の実施例として、第２透過部４２２ｃは、図８（ｄ）に示すように、赤色の基材、又は赤色フイルムであってもよい。
【００６５】
第１の波長の光ＬＢである青色の光と第２の波長の光ＬＲである赤色の光は、それぞれの光に含まれるスペクトル分布が非重複である。これにより、後述するように、第１の情報の提示と第２の情報の提示を切り替えて表示することができる。
【００６６】
（第１提示部４３０ｃ）
第１提示部４３０ｃは、図９に示すように、基材としての透明フイルム４３７ｃ上に、第１提示部４３０ｃとしての赤インク層が形成されて構成されている。具体的には、図１０（ａ）、（ｂ）に示すように、第１提示部４３０ｃは、シート状に形成された部材である透明フイルム４３７ｃに、第２の波長の光ＬＲ（赤色）を透過させ第１の波長の光ＬＢ（青色）の透過を抑制する赤インク層が配置された第１遮光部としての第１配置部４３１ｃと、第１の情報に合わせて赤インク層を非配置である第１情報提示部としての第１非配置部４３２ｃとを備えて構成されている。
【００６７】
図１２（ａ）に示すように、第１提示部４３０ｃにより提示される第１の情報は、第１非配置部４３２ｃの輪郭４３５ｃとその内部で構成されるマーク、文字、数字等の情報であり、本実施の形態では、図１０（ｂ）、図１２（ａ）に示すような、車両のエアコン装置の内気循環のマークである。
【００６８】
（第２提示部４４０ｃ）
第２提示部４４０ｃは、図９に示すように、基材としての透明フイルム４３７ｃに形成された第１提示部４３０ｃとしての赤インク層の上に、第２提示部４４０ｃとしての青インク層が形成されて構成されている。なお、この青インク層、赤インク層の順番は任意であり、図９において、上側が第２提示部４４０ｃとしての青インク層、下側が第１提示部４３０ｃとしての赤インク層であってもよい。
【００６９】
具体的には、図１１（ａ）、（ｂ）に示すように、第２提示部４４０ｃは、シート状に形成された部材である透明フイルム４３７ｃに、第１の波長の光ＬＢ（青色）を透過させ第２の波長の光ＬＲ（赤色）の透過を抑制する赤インク層が配置された第２遮光部としての第２配置部４４１ｃと、第２の情報に合わせて青インク層を非配置である第２情報提示部としての第２非配置部４４２ｃとを備えて構成されている。
【００７０】
図１２（ｂ）に示すように、第２提示部４４０ｃにより提示される第２の情報は、第２非配置部４４２ｃの輪郭４４５ｃとその内部で構成されるマーク、文字、数字等の情報であり、本実施の形態では、図１１（ｂ）、図１２（ｂ）に示すような、強調表示のための枠形状のマークである。
【００７１】
（表示動作）
第１の実施の形態と同様に、制御部３０は、第１発光ダイオード４１１ｃ、第２発光ダイオード４２１ｃと接続され、第１発光ダイオード４１１ｃ、第２発光ダイオード４２１ｃの点灯制御、消灯制御を行なう。
【００７２】
（第１の情報の提示動作）
制御部３０は、第１発光ダイオード４１１ｃを点灯させ、第２発光ダイオード４２１ｃを消灯させる制御を行なう。
【００７３】
図１０（ａ）に示すように、第１発光ダイオード４１１ｃから出射された第１の波長を含む波長域を有する光は、第１透過部４１２ｃにより第１の波長の光ＬＢ（青色の光）だけが透過する。
【００７４】
第１の波長の光ＬＢ（青色の光）は、第２提示部４４０ｃをすべて透過し、第１提示部４３０ｃの第１非配置部４３２ｃを透過する。しかし、第１の波長の光ＬＢ（青色の光）は、赤インク層が配置された第１配置部４３１ｃは透過しない。
【００７５】
これにより、図１０（ｂ）で示す第１の情報４３０ｃが、第１の波長の光ＬＢ（青色の光）で提示（表示）される。すなわち、図１０（ｂ）に示すように、車両のエアコン装置の内気循環のマークが、青色で表示される。
【００７６】
（第２の情報の提示動作）
制御部３０は、第１発光ダイオード４１１ｃを消灯させ、第２発光ダイオード４２１ｃを点灯させる制御を行なう。
【００７７】
図１１（ａ）に示すように、第２発光ダイオード４２１ｃから出射された第２の波長を含む波長域を有する光は、第２透過部４２２ｃにより第２の波長の光ＬＲ（赤色の光）だけが透過する。
【００７８】
この第２の波長の光ＬＲ（赤色の光）は、第２提示部４４０ｃの第２非配置部４４２ｃを透過し、第２配置部４４１ｃは透過しない。第２提示部４４０を透過した光ＬＲ（赤色の光）は、第１提示部４３０ｃをすべて透過する。
【００７９】
これにより、図１１（ｂ）で示す第２の情報４４０ｃが、第２の波長の光ＬＲ（赤色の光）で提示（表示）される。すなわち、図１１（ｂ）に示すように、強調表示のための枠形状のマークが、赤色で表示される。
【００８０】
（近接検出時のハイライト表示動作）
第１の実施の形態と同様に、指の近接検出時には、第１の表示情報４３０ｃに第２の表示情報４４０ｃを重畳してハイライト表示する。すなわち、第１発光ダイオード４１１ｃを点灯させることにより、図１３に示すように、第１の表示情報４３０ｃを青色で表示し、さらに、第２発光ダイオード４２１ｃを点灯させることにより、第２の表示情報４４０ｃを赤色で表示させることができる。
【００８１】
上記のように、近接検出時のハイライト表示を第１の表示情報の色と異なる色で強調表示することができるので、第１の実施の形態の効果に加えて、さらに、色による強調表示効果も期待できるようになる。
【００８２】
（実施の形態の効果）
本発明の実施の形態によれば、以下のような効果を有する。
（１）本発明の実施の形態に係るスイッチ装置１は、操作部５への検出対象物の近接を検出する近接検出部１０と、操作部５への操作状態に応じて、異なる表示情報を表示する表示切替部２０と、近接検出部１０の検出結果に対応して表示切替部２０が表示する情報を切替える制御部３０と、を有し、制御部３０は、近接検出部１０により検出対象物の近接を検出しない場合は第１の表示情報を、近接検出部１０により検出対象物の近接を検出した場合は第１の表示情報とは異なる第２の表示情報を表示切替部２０に表示させる、構成とされている。第２の表示情報は、強調表示とすることができるので、スイッチ装置におけるタッチ間違いが抑制できる。
（２）操作者が、スイッチ装置１を斜め方向から見ながら操作する場合に、本実施の形態のように、指が近接した位置においてハイライト表示等の強調表示がされると、タッチ間違いの抑制効果が大きい。特に、車両にスイッチ装置１が搭載される場合は、操作者が運転者や助手席の乗員であり、スイッチ装置１を斜め方向から見ながら操作する場合が多いので、特に効果が期待できる。
【００８３】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００８４】
１…スイッチ装置、５…操作部、５ａ…表面、５ｂ…裏面、１０…近接検出部、２０…表示切替部、２１、２２…発光部、２３、２４…偏光板、２５…第１表示偏光板、２６…第２表示偏光板、３０…制御部、３５…記憶部、５０…第１の表示情報、６０…第２の表示情報、１０１…第１偏光方向、１０２…第２偏光方向、２０１、２０２…吸収軸、３００…指、Ｌ１、Ｌ２…光
【図１】
2020030509.tif 000003
【図２】
2020030509.tif 000004
【図３】
2020030509.tif 000005
【図４】
2020030509.tif 000006
【図５】
2020030509.tif 000007
【図６】
2020030509.tif 000008
【図７】
2020030509.tif 000009
【図８】
2020030509.tif 000010
【図９】
2020030509.tif 000011
【図１０】
2020030509.tif 000012
【図１１】
2020030509.tif 000013
【図１２】
2020030509.tif 000014
【図１３】
2020030509.tif 000015